(57)【特許請求の範囲】
【請求項１】
二枚の板材の間に芯材を挟んで構成された建具本体と、少なくとも屋外側の前記板材を貫通して装着される機能部品とを具備した建具であって、
建具本体内の戸先側に、前記機能部品による貫通部を含む高さ位置から下方へ延設されて前記建具本体の下端まで連続した骨材と、前記骨材の戸尻側に沿って前記高さ位置から下方へ延設されて前記建具本体の下端まで連続する水抜き空間部と、前記水抜き空間部の戸尻側部分を横断面凹状に覆って下方へ延設され前記建具本体の下端まで連続する仕切板とを備え、前記仕切板よりも戸尻側に前記芯材が配置され、
前記貫通部が前記水抜き空間部へ戸厚方向に連通し、前記水抜き空間部の下端側が、前記建具本体の下端を下方へ貫通して外部に連通していることを特徴とする建具。
【請求項２】
前記骨材は、前記水抜き空間部の戸先側部分を覆うようにして前記仕切板に対向する横断面凹状に形成され、前記仕切板に接続されていることを特徴とする請求項１記載の建具。
【請求項３】
前記水抜き空間部が、前記建具本体の上下方向の略全長にわたって連続していることを特徴とする請求項１又は２記載の建具。
【請求項４】
前記仕切板の戸厚方向の一端面と他端面は、それぞれ、その略全面が、前記二枚の板材に対し接着されていることを特徴とする請求項１〜３何れか１項記載の建具。
【請求項５】
前記機能部品を第１の機能部品とし、前記水抜き空間部よりも戸尻側に、少なくとも屋外側の前記板材を貫通して装着される第２の機能部品を備え、
この第２の機能部品よりも下側に、上方から流れてくる水を受けて斜め下方へ流すように、水抜き部材が戸幅方向へわたって傾斜状に延設され、
前記水抜き部材の下流側の端部は、前記仕切板を貫通して前記水抜き空間部内へ突出していることを特徴とする請求項１〜４何れか１項記載の建具。
【請求項６】
前記建具本体の戸尻側部分が、上下方向へ連続する骨材により構成され、
前記水抜き部材の上流側の端部は、前記戸尻側部分の前記骨材に接続されていることを特徴とする請求項５記載の建具。
【請求項７】
第２の機能部品による貫通部から侵入した水を沿わせて前記水抜き部材へ導くように、第２の機能部品と前記水抜き部材との間にわたって水ガイド部を設けたことを特徴とする請求項５又は６記載の建具。
【請求項８】
前記建具本体を吊るして横幅方向へ開閉動作する吊り式の引戸を構成していることを特徴とする請求項１〜７何れか１項記載の建具。
【発明の詳細な説明】
【技術分野】
【０００１】
本発明は、吊り式引戸や、戸車式引戸、折戸、開き戸（ドア）等の建具に関に関するものである。
【背景技術】
【０００２】
従来、この種の建具は、例えば特許文献１に記載のもののように、正面視矩形状の表板（２１ｂ）と裏板（２１ｃ）の間に、略枠状に組まれた金属製の骨材（２１ｊ，２１ｉ等）や、これら骨材の内側に配設された紙製の芯材（２１ａ）等を具備したものがある。なお、前記括弧内の符号は、特許文献１の明細書及び図面中の符号を示す。
この従来の建具によれば、表板（２１ｂ）及び裏板（２１ｃ）を比較的軽量な薄肉の鋼板等により形成した場合であっても、これら表板（２１ｂ）及び裏板（２１ｃ）の撓みや変形等を内部の芯材（２１ａ）により抑制することができる。しかも、芯材（２１ａ）自体が紙製であるため、建具全体を軽量化することができ、ひいては建具２０の開閉動作性を向上することができる。
【０００３】
しかしながら、上記従来の建具を屋外に臨む開口部に設けた場合、雨水が、施錠装置や取っ手、窓ガラス等の機能部品と、表板（２１ｂ）との僅かな隙間を通って、表板（２１ｂ）と裏板（２１ｃ）の間に浸入し、紙製の芯材（２１ａ）が濡れてしまうおそれがある。
【先行技術文献】
【特許文献】
【０００４】
【特許文献１】特開２０１４−２１１０３８号公報
【発明の概要】
【発明が解決しようとする課題】
【０００５】
本発明は上記従来事情に鑑みてなされたものであり、その課題とする処は、外部から浸入した水により建具内の芯材が濡れてしまうのを防ぐことができる建具を提供することにある。
【課題を解決するための手段】
【０００６】
上記課題を解決するための一手段は、二枚の板材の間に芯材を挟んで構成された建具本体と、少なくとも屋外側の前記板材を貫通して装着される機能部品とを具備した建具であって、建具本体内の戸先側に、前記機能部品による貫通部を含む高さ位置から下方へ延設されて前記建具本体の下端まで連続した骨材と、前記骨材の戸尻側に沿って前記高さ位置から下方へ延設されて前記建具本体の下端まで連続する水抜き空間部と、前記水抜き空間部の戸尻側部分を横断面凹状に覆って下方へ延設され前記建具本体の下端まで連続する仕切板とを備え、前記仕切板よりも戸尻側に前記芯材が配置され、前記貫通部が前記水抜き空間部へ戸厚方向に連通し、前記水抜き空間部の下端側が、前記建具本体の下端を下方へ貫通して外部に連通していることを特徴とする建具。
【発明の効果】
【０００７】
本発明は、以上説明したように構成されているので、外部から浸入した水により建具内の芯材が濡れてしまうのを防ぐことができる。
【図面の簡単な説明】
【０００８】
【図１】本発明に係る建具を用いた引戸装置の一例を示す正面図である。
【図２】同建具の正面図であり、施錠装置及び取っ手を外した状態を示す。
【図３】図２における(III)-(III)線に沿う断面図である。
【図４】図２における(IV)-(IV)線に沿う断面図である。
【図５】図２における(V)-(V)線に沿う断面図である。
【発明を実施するための形態】
【０００９】
本実施の形態の第一の特徴は、二枚の板材の間に芯材を挟んで構成された建具本体と、少なくとも屋外側の前記板材を貫通して装着される機能部品とを具備した建具であって、建具本体内の戸先側に、前記機能部品による貫通部を含んで下方へ延設されるとともに前記建具本体の下端で外部へ連通するように、水抜き空間部を設け、この水抜き空間部よりも戸尻側に前記芯材を配置した。
ここで、前記「機能部品」とは、建具としての主な機能又は補助的な機能を奏するために、屋外側の前記板材を貫通して装着される部品であり、これら機能部品には、例えば、施錠装置や、開閉操作を行うための取っ手、光を通過させるための小窓、空気を通過させるための通気孔、防虫網、ダンパー装置、人感センサ、照明装置等を含む。
上記構成によれば、機能部品による貫通部から侵入した水を、水抜き空間部に通して建具本体の下端から外部へ排出することができる。
【００１０】
第二の特徴は、芯材側の防水性を向上するために、前記水抜き空間部と前記芯材との間に、仕切板を設けた。
【００１１】
第三の特徴は、排水性をより向上するために、前記機能部品を第１の機能部品とし、前記水抜き空間部よりも戸尻側に、少なくとも屋外側の前記板材を貫通して装着される第２の機能部品を備え、この第２の機能部品よりも下側に、上方から流れてくる水を受けて斜め下方へ流すように戸幅方向へ傾斜状に延設された水抜き部材が設けられ、該水抜き部材の下流側の端部を建具本体外に連通した。
【００１２】
第四の特徴は、外部への排水を良好に行うために、水抜き部材の下流側の端部を戸先側で前記水抜き空間部に連通した。
【００１３】
第五の特徴は、建具本体に浸入した水の流れを良くするために、第２の機能部品による貫通部から侵入した水を沿わせて前記水抜き部材へ導くように、第２の機能部品と前記水抜き部材の間にわたって水ガイド部を設けた。
【００１４】
なお、後述する実施例では、上記特徴の一部を含まずに、以下の構成要件を必須とした発明も開示している。
すなわち、この発明の一つは、二枚の板材の間に芯材を挟んで構成された建具本体と、少なくとも屋外側の前記板材を貫通して装着される機能部品とを具備した建具であって、前記機能部品よりも下側に、上方から流れてくる水を受けて斜め下方へ流すように水抜き部材が戸幅方向へわたって傾斜状に延設され、該水抜き部材の下流側の端部を建具本体外に連通したことを特徴とする。
この発明によれば、前記機能部品周りの隙間から建具本体内へ水が浸入した場合に、この水を水抜き部材に流通させて建具本体外へ排出することができる。
【実施例】
【００１５】
次に、上記特徴を有する好ましい実施例を、図面に基づいて詳細に説明する。
図１は、本発明に係る建具を備えた吊り式の引戸装置を示している。
この引戸装置Ａは、左右の側柱１１，１２と、これら左右の側柱１１，１２の上端部間に接続された無目１３と、これら左右の側柱１１，１２及び無目１３によって囲まれた空間で左右方向へ開閉動作する吊式の建具２０（引戸）と、左右の側柱１１，１２間の中央寄りで引戸面に対し屋外側から近接する中柱１４とを備え、一方（図示例によれば左側）の側柱１１と中柱１４と無目１３とによって囲まれた通路空間を建具２０によって開閉するように構成される。
そして、この引戸装置Ａは、建築躯体における矩形状の開口部に、前記通路空間を連通させるようにして設置される。
【００１６】
なお、本明細書中、「屋外側」とは、水が浸入する可能性がある場合において、その水の浸入経路の上流側に対応する側を意味し、すなわち、水の浸入を阻止や抑制することが望まれる側をいう。また、以下の説明中、「室内側」とは、戸厚方向において前記屋外側に対する逆側を意味する。本発明に係る実施例は、例えば、建物内の廊下や通路等、屋外側の概念が必ずしも明確でない引戸に対しても適用可能である。
【００１７】
また、本明細書中、「横幅方向」とは、詳細に説明すれば、建具本体２１の厚み方向に直交する方向であって、上下方向ではない方向のことであり、引戸装置の場合には開閉方向のことである。また、「戸先」とは、引戸装置でいえば開閉方向における閉鎖方向の先端部のことであり、一派的には、建具において、建具が閉鎖状態のときに側柱等の躯体に当接又は近接していて、開放状態のときには前記躯体に当接せずに離間している部位のことである。一方、「戸尻」とは、建具の横幅方向における戸先側とは反端側の端部のことであり、引戸装置でいえば開放方向の先端部のことである。
【００１８】
側柱１１，１２は、建具２０の開閉動作領域を間に置くようにしてその両側に設けられた柱状部材である。各側柱１１（又は１２）は、建築躯体の壁面に対し、図示しないアンカー等を介して固定されている。
【００１９】
無目１３は、側柱１１，１２の上端部間にわたって水平状に設けられた中空箱状の部材であり（図２参照）、建築躯体の壁面に対しアンカー等（図示せず）を介して固定される。
この無目１３内部には、建具２０を吊るして左右方向へ案内するように左右方向へ連続するガイドレール（図示せず）が固定されている。
さらに、この無目１３内には、必要に応じて、建具２０を開閉方向へ駆動するための駆動機構（例えば、リニアモータや他の駆動源を用いた図示しない駆動装置）や、建具本体２１の閉鎖動作時の衝撃を緩和する図示しないダンパー装置等が設けられる。
【００２０】
中柱１４は、全閉時の建具２０における戸尻側端部に対し戸厚方向に重なり合う長尺状の部材であり、その上端側が無目１３に接続され、下端側が床面等の不動部位に接続されている。
【００２１】
建具２０は、矩形状の建具本体２１、該建具本体２１を無目１３内のガイドレール（図示せず）に吊るす吊車（図示せず）、戸先側に設けられた第１の機能部品２２，２３，２４、これらよりも戸尻側に設けられた第２の機能部品２５等から構成される。
【００２２】
建具本体２１は、二枚の板材２１ａ，２１ｂの間に、骨材２１ｃ，２１ｄ，２１ｅ，２１ｆ、仕切板２１ｇ、芯材２１ｈ、水抜き部材２１ｉを挟んで構成される。
二枚の板材２１ａ，２１ｂの各々は、例えば金属等の硬質材料からなる板材である。これら板材２１ａ，２１ｂには、後述する第１の機能部品２２，２３，２４を貫通する孔状もしくは切欠状の貫通部２２ａ，２３ａ，２４ｇが設けられる。
【００２３】
符号２１ｃに示す骨材は、建具本体２１の上端側において下方を開口した断面凹状の金属製部材であり、建具本体２１の横幅方向の略全長にわたって略水平状に連続している。
【００２４】
符号２１ｄに示す骨材は、建具本体２１の下端側において下方を開口した断面凹状の金属製部材であり、建具本体２１の横幅方向の略全長にわたって略水平状に連続している。この骨材２１ｄは、戸尻方向端部側に、床面等に対し回転自在に支持されたガイドローラ３０を挿入している。該ガイドローラ３０は、骨材２１ｄの側面を転動することで、建具２０の下端側を戸厚方向へ振れないようにして開閉方向へ案内する。
【００２５】
符号２１ｅに示す骨材は、建具本体２１の戸先側において戸尻方向を開口した断面凹状の金属製部材であり、建具本体２１の上下方向の略全長にわたって略垂直状に連続している。
【００２６】
符号２１ｆに示す骨材は、建具本体２１の戸尻側において戸先方向を開口した断面凹状の金属製部材であり、建具本体２１の上下方向の略全長にわたって略垂直状に連続している。
【００２７】
これら骨材２１ｃ，２１ｄ，２１ｅ，２１ｆの戸厚方向の一方の端面には、一方の板材２１ａが止着され、他方の端面には、他方の板材２１ｂが止着されている。前記止着の手段は防水性を向上する観点より、接着剤を用いた全面接着とするのが好ましい。
【００２８】
また、仕切板２１ｇは、建具本体２１内の戸先側に設けられた水抜き空間部Ｓと、その戸尻側に設けられた芯材２１ｈとの間を仕切る部材である。
この仕切板２１ｇは、戸先側を開口した断面凹状の金属製部材であり（図３参照）、建具本体２１の上下方向の略全長にわたって連続するように設けられる。
この仕切り板２１ｇの戸厚方向の一端面と他端面は、それぞれ、その略全面が、板材２１ａと板材２１ｂに対し、接着剤により接着されている。これら接着部分は、後述する水抜き空間部Ｓ内に浸入した水が、芯材２１ｈ側へ浸み込むのを阻む。
【００２９】
なお、図３中、符号２１ｋは、建具２０の全閉時に側柱１１に当接し弾性変形することで、建具２０による密閉性を向上する気密材である。
また、同図３中、符号２３（２４）で示す二点鎖線は、第１の機能部品２３，２４（施錠装置）における建具内の部分について、大まかな配置を示している。
【００３０】
水抜き空間部Ｓは、後述する第１の機能部品２２，２３，２４による貫通部２２ａ，２３ａ，２４ａを含んで上下方向へ延設される。
詳細に説明すれば、この水抜き空間部Ｓは、建具本体２１を構成する二枚の板材２１ａ，２１ｂと、戸先側の骨材２１ｅと、仕切板２１ｇとによって囲まれて、上下方向へ連続する長尺状の空間である。この水抜き空間部Ｓの上端部は、上端側の骨材２１ｅによって覆われている。また、同水抜き空間部Ｓの下端側は、下方へ貫通して外部へ連通している。
【００３１】
芯材２１ｈは、段ボール等の紙により厚板矩形状に構成される。この芯材２１ｈは、その厚みが、二枚の板材２１ａ，２１ｂの内面間の寸法と略同等に設定され、二枚の板材２１ａ，２１ｂの撓みや変形を抑制する。
この芯材２１ｈは、図示例によれば、仕切板２１ｇよりも戸尻側において、後述する水抜き部材２１ｉよりも上側に位置する芯材２１ｈ１と、同水抜き部材２１ｉよりも下側に位置する芯材２１ｈ２とにより構成される。
【００３２】
図２に示す一例によれば、上側の芯材２１ｈ１は、建具本体２１上端側の骨材２１ｃと、水抜き部材２１ｉと、仕切板２１ｇと、後述する第２の機能部品２５と、戸尻側の骨材２１ｆとによって囲まれた空間に設けられる。
また、下側の芯材２１ｈ２は、水抜き部材２１ｉと、下端側の骨材２１ｄと、仕切板２１ｇと、戸尻側の骨材２１ｆとによって囲まれた空間に設けられる。
【００３３】
水抜き部材２１ｉは、金属材料や合成樹脂材料等の硬質材料から上方を開口した断面凹状に形成され、戸先方向へ向かって下方へ傾斜するとともに長尺状に連続している。
この水抜き部材２１ｉの先端側は、仕切板２１ｇを貫通し、水抜き空間部Ｓに連通している。
また、水抜き部材２１ｉの後端部は、骨材２１ｆに対し溶接等の接続手段により接続されている。
また、この水抜き部材２１ｉの戸厚方向の一端面と他端面は、図４に示すように、それぞれ、一方の板材２１ａの内面と、他方の板材２１ｂの内面に接触している。この接触部分は、好ましくは、その全面が接着剤により接着される。
【００３４】
第１の機能部品２２，２３，２４は、本実施の一例によれば、二つの施錠装置と単数の取っ手である。
詳細に説明すれば、第１の機能部品２２は、建具２０の上部側の施錠装置である。この第１の機能部品２２（施錠装置）は、二枚の板材２１ａ，２１ｂの貫通部２２ａに挿通され、建具本体２１を戸厚方向に貫通している。
第１の機能部品２３は、建具２０の下部側の施錠装置である。この第１の機能部品２３（施錠装置）も、二枚の板材２１ａ，２１ｂの貫通部２２ａに挿通され、建具本体２１を戸厚方向に貫通している。
第１の機能部品２４は、二枚の板材２１ａ，２１ｂの貫通部２４ａに挿通されて固定された取っ手である。
【００３５】
また、第２の機能部品２５は、内外の光を透過させる小窓である。
詳細に説明すれば、この第２の機能部品２５（小窓）は、一体矩形環状に組まれた枠部材２５ａと、該枠部材２５ａ内にパッキン２５ｅ等を介して固定された透光性板材２５ｂとにより構成される。
そして、この第２の機能部品２５（小窓）における枠部材２５ａの外周部は、支持枠２１ｊに支持され、該支持枠２１ｊは二枚の板材２１ａ，２１ｂ間に接続されている。
【００３６】
枠部材２５ａは、図２に示す一例によれば正面視矩形枠状に構成され、その内部にパッキン２５ｅを介して透光性板材２５ｂを嵌合固定している。
透光性板材２５ｂは、例えば、透明ガラスや曇りガラス等の透光性の板材である。
【００３７】
また、支持枠２１ｊは、上記骨材２１ｃ等と同様の断面凹状の長尺部材を一体矩形枠状に組み合わせてなり、その戸厚方向の両端面が、それぞれ、二枚の板材２１ａ，２１ｂの内面に接着されている。
そして、支持枠２１ｊの枠内側には、第２の機能部品２５の前記枠部材２５ａが、止着具２５ｄ（例えば、ネジやボルト等）によって固定されている。
【００３８】
なお、本実施例では、止着具２５ｄを、透光性板材２５ｂの屋外側に露出しないように設けることで、雨水等が建具本体２１内へ浸み込むようなことを防いでいる。すなわち、図４及び図５に示すように、一方（図中短い方）の止着具２５ｄは、その頭部が、透光性板材２５ｂ周囲のパッキン２５ｅに埋没されるように配置される。また、他方（図中長い方）の止着具２５ｄは、透光性板材２５ｂよりも屋内側に配置される。そして、透光性板材２５ｂよりも屋外側には、止着具２５ｄを有さない。
【００３９】
上記矩形状の支持枠２１ｊを構成する左右の縦枠のうち、その一方（図１及び２によれば右側）の縦枠は、同支持枠２１ｊを構成する下側の横枠よりも下方へ突出して延設されている。この延設部分は、その下端部が、水抜き部材２１ｉに接触又は近接しており（図４参照）、貫通部２１ｊ２の隙間から建具本体２１内へ浸入した雨水を沿わせて水抜き部材２１ｉへ導く水ガイド部２１ｊ１として機能する。
【００４０】
前記貫通部２１ｊ２は、第２の機能部品２５を装着するために建具本体２１を戸厚方向へ貫通する孔であり、図示例によれば、矩形枠状の支持枠２１ｊの枠内側の面により構成される孔である。また、雨水の浸入路となる前記隙間は、詳細に説明すれば、止着具２５ｄと、該止着具２５ｄを螺合するネジ孔との隙間等である。
【００４１】
よって、上記構成の建具２０によれば、第１の機能部品２３周りの隙間から建具本体２１内へ雨水等が浸入した場合でも、この水を、水抜き空間部Ｓに流通させて、建具本体２１の下端から建具本体２１外へ排出することができる。
しかも、建具本体２１内においては、水抜き空間部Ｓと芯材２１ｈの間に、仕切板２１ｇを介在しているため、水抜き空間部Ｓ側の水が芯材２１ｈ側へ流れるのを仕切板２１ｇにより阻むことができる。
また、第２の機能部品２５周りの隙間から雨水等が浸入した場合には、この水を、支持枠２１ｊから下方へ突出する水ガイド部２１ｊ１に沿わせて水抜き部材２１ｉへ導き、水抜き部材２１ｉの傾斜によって水抜き空間部Ｓへ流し、水抜き空間部Ｓの下端から建具本体２１外へ排出することができる。
ひいては、建具本体２１内へ浸入する雨水等によって芯材２１ｈが濡れてしまうようなことを防ぐことができる。
【００４２】
なお、上記実施例によれば、第１の機能部品２２，２３，２４を装着するための貫通部２２ａ，２３ａ，２４ａ及び第２の機能部品２５を装着するための貫通部２１ｊ２を、二枚の板材２１ａ，２１ｂの双方を貫通する構成としたが、前記機能部品の態様等によっては、前記貫通部を屋外側の板材２１ａのみを貫通するように形成し、この貫通部に機能部品を装着した構成とすることも可能である。
【００４３】
また、上記実施例によれば、建具本体２１内に浸入する水を、水抜き部材２１ｉによって戸先側へ排出するようにしたが、他例としては、水抜き部材２１ｉを戸尻側へ向かって下り傾斜するように設けることで、前記水を戸尻側へ排出する構成とすることも可能である。
【００４４】
また、上記実施例によれば、水抜き部材２１ｉの後端側を建具本体２１の戸尻側へ延設して骨材２１ｆに止着するようにしたが、他例としては、水抜き部材２１ｉにおける支持枠２１ｊよりも戸尻側の部分を省くことも可能である。
【００４５】
また、上記実施例によれば、水抜き空間部Ｓを建具本体２１の上下方向の略全長にわたるように形成したが、他例としては、水抜き空間部Ｓを、第１の機能部品２２による貫通部２２ａを含む下側の範囲のみに設け、該範囲よりも上側には芯材２１ｈを充填した態様とすることも可能である。
【００４６】
また、上記実施例は、特に排水性の良好な一例を示しているが、他例としては、上記実施例から、水ガイド部２１ｊ１、水抜き部材２１ｉ、仕切板２１ｇ及び水抜き空間部Ｓのうち、その一部の構成を省いた態様とすることも可能である。
【００４７】
また、上記実施例によれば、上述した水抜き構造を吊り式の片引き式引戸に適用したが、他例としては、上述した水抜き構造を、戸車式の引戸や、両引き式引戸、開き戸（ドア）、折戸等に適用することも可能である。
【符号の説明】
【００４８】
２０：建具
２１：建具本体
２１ａ，２１ｂ：二枚の板材
２１ｇ：仕切板
２１ｈ：芯材
２１ｉ：水抜き部材
２１ｊ：支持枠
２１ｊ１：水ガイド部
２２，２３，２４：第１の機能部品
２１ｊ２，２２ａ，２３ａ，２４ａ：貫通部 
２５：第２の機能部品
Ｓ：水抜き空間部
【図１】
0006584831.tif 000002
【図２】
0006584831.tif 000003
【図３】
0006584831.tif 000004
【図４】
0006584831.tif 000005
【図５】
0006584831.tif 000006